(57)【要約】【課題】内部の被収容物を容易かつ迅速に取り出すことができる箱を提供する。【解決手段】箱体と、フォークリフトのフォークが一端から他端に向けて貫入する貫通部分と、該貫通部分の該他端近傍を所定の回動軸の周りに回動自在に支持する該箱体に設けられた回動手段と、を備えてなり、該フォークの先端側が該貫通部分の該他端から突出することで、該貫通部分から突出した該フォークと該箱体とが当接して該回動手段の回動を制限する、箱である。前記箱体が、前記貫通部分を貫通した前記フォークを嵌脱自在に収容する収容部分を有し、前記回動手段が、該収容部分に設けられるものであってもよい。【選択図】　図２
2004075120.tif 000002
【特許請求の範囲】
【請求項１】
箱体と、
フォークリフトのフォークが一端から他端に向けて貫入する貫通部分と、
該貫通部分の該他端近傍を所定の回動軸の周りに回動自在に支持する該箱体に設けられた回動手段と、
を備えてなり、
該フォークの先端側が該貫通部分の該他端から突出することで、該貫通部分から突出した該フォークと該箱体とが当接して該回動手段の回動を制限する、
箱。
【請求項２】
前記箱体が、前記貫通部分を貫通した前記フォークを嵌脱自在に収容する収容部分を有し、
前記回動手段が、該収容部分に設けられるものである、請求項１に記載の箱。
【請求項３】
前記所定の回動軸は、鉛直方向に対して所定の角度を有するものである、請求項１又は２に記載の箱。
【請求項４】
前記所定の回動軸は、前記箱体の重心よりも下方に存するものである、請求項３に記載の箱。
【請求項５】
前記所定の回動軸は、前記箱体の重心よりも、前記貫通部分の前記一端から前記他端に向けて前記フォークが嵌入される方向に関し後方に存するものである、請求項１乃至４に記載の箱。
【請求項６】
前記貫通部分の前記一端から前記他端に向けて前記フォークが嵌入される方向とは逆方向へ前記貫通部分に対して前記フォークが一定距離以上変位することを制限する抜け止め手段を、さらに備えてなるものである、請求項１乃至５のいずれかに記載の箱。
【発明の詳細な説明】
【０００１】
【発明の属する技術分野】
本発明は、箱に関し、より詳細には、フォークリフトによって移動し所望のときに回動することで内部に収容された内容物を容易に排出等することができる箱に関する。
【０００２】
【従来の技術】
箱は、様々な物を収容するために広く用いられている。例えば、工事現場や工場等においては、廃棄物や製品等を一時収容するために、上面が開放された箱体が用いられることがある。
かかる箱体に廃棄物や製品等の被収容物を収容する場合、箱体に収容された被収容物を回収するには箱体内部から被収容物を取り出す必要がある。
【０００３】
【発明が解決しようとする課題】
しかしながら、箱体内部から被収容物を取り出す作業は、被収容物が液体であれば何らかの容器やポンプを用いてくみ出すことや、被収容物が固体であれば手で把持して取り出したりパワーシャベル等によってかき出すこと等によって行われることが多く、このため該作業は通常手間がかかるものであった。
【０００４】
そこで、本発明では、内部の被収容物を容易かつ迅速に取り出すことができる箱を提供することを目的とする。
【０００５】
【課題を解決するための手段】
本発明の箱（以下、「本箱」という。）は、箱体と、フォークリフトのフォークが一端から他端に向けて貫入する貫通部分と、該貫通部分の該他端近傍を所定の回動軸の周りに回動自在に支持する該箱体に設けられた回動手段と、を備えてなり、該フォークの先端側が該貫通部分の該他端から突出することで、該貫通部分から突出した該フォークと該箱体とが当接して該回動手段の回動を制限する、箱である。
【０００６】
ここに「箱体」とは、固体、液体及び気体等の何らかの有体物（被収容物）を内部に収容することができるものであって、その収容された有体物（被収容物）を開口を経由して取り出すことができるものをいい、該開口が蓋を有しているか否かを問わない。
また、フォークリフトが有するフォークは、何本であってもよく、例えば、１本、２本（一般的なフォークリフトは２本の場合が多い。）、３本、そして４本以上であってもよい。また、有するフォークが２本以上の場合、有するフォーク全てが貫通部分に貫入されるようにしても、また有するフォークの一部のみが貫通部分に貫入されるようにしてもよい。
【０００７】
こうすることで本箱は、貫通部分の一端から他端に向けてフォークリフトのフォークを貫入し、フォークの先端側を貫通部分の該他端から突出させる。このフォークの先端側が貫通部分の該他端から突出した状態では、貫通部分の該他端から突出したフォークと箱体とが当接して回動手段の回動を制限するので、安定した状態で本箱をフォークリフトによって搬送等することができる。
そして、箱体の内部に存する被収容物を取り出す際には、貫通部分の該他端から突出したフォークと箱体とが当接して回動手段の回動を制限しない程度まで、貫通部分の該他端から突出したフォークを引っ込め、貫通部分が箱体に対して所定の回動軸の周りに回動自在になるようにする。かかる状態では、フォークリフトのフォークが一端から他端に向けて貫入される貫通部分に対して、箱体は回動手段によって所定の回動軸の周りに回動自在に支持されるので、箱体の内部に存する被収容物を取り出しやすい回動位置（箱体内部から被収容物が自動的に排出されるような回動位置であってもよい。）に箱体を回動させることができる。
即ち、本箱は、被収容物を箱体から取り出さないときは被収容物を内部に収容したまま安定した状態（貫通部分の該他端から突出したフォークと箱体とが当接して回動手段の回動を制限した状態）で搬送等されることができると共に、被収容物を箱体から取り出すときは被収容物を取り出しやすい回動位置に箱体を回動させることで箱体内部の被収容物を容易かつ迅速に取り出すことができる。
【０００８】
前記箱体が、前記貫通部分を貫通した前記フォークを嵌脱自在に収容する収容部分を有し、前記回動手段が、該収容部分に設けられるものであってもよい。
こうすることで貫通部分を貫通したフォークを嵌脱自在に収容する収容部分を箱体が有し、収容部分が、回動手段によって貫通部分に対して前記所定の回動軸の周りに回動自在に支持される。このため、貫通部分の前記他端から突出したフォークを収容部分が確実に収容するので、貫通部分の前記他端から突出したフォークと箱体とが一層確実に当接して回動手段の回動を制限するので、一層安定した状態で本箱をフォークリフトによって搬送等することができる。
【０００９】
前記所定の回動軸は、鉛直方向に対して所定の角度を有するものであってもよい。
通常設置された状態における箱体は、その内部に存する被収容物が不意に外部に転がり出たり漏出することを防止するため、被収容物を取り出す開口を上方に有する場合が多い。このため箱体内部の被収容物を容易かつ迅速に取り出すには、該開口が下方になるように箱体を傾けることが好ましいことが多い。このように箱体の上方に形成された開口を、箱体を回動させることで下方に位置させようとすると、前記所定の回動軸は、鉛直方向に対して所定の角度を有するようにされることが好ましい。
ここにいう「鉛直方向」とは、本箱を水平面に載置したときの鉛直方向をいう。そして、所定の回動軸が鉛直方向に対する角度とは、所定の回動軸が含まれる直線と、該直線に交わる鉛直方向に向いた直線と、がなす２の角のうち小さい方の角（０度以上９０度以下）をいう。さらに、ここにいう「所定の角度」とは、０度より大きく９０度以下であることをいい、好ましくは３０度以上かつ９０度以下であり、より好ましくは６０度以上かつ９０度以下であり、最も好ましくは７０度以上かつ９０度以下である。
【００１０】
前記所定の回動軸は、鉛直方向に対して所定の角度を有するものである場合、前記所定の回動軸は、前記箱体の重心よりも下方に存するものであってもよい。
こうすることで前記所定の回動軸の周りに箱体が十分な角度で回動されるので（例えば、前記所定の回動軸の周りに箱体が回動したときの最低位置まで箱体が回動するとすれば、少なくとも９０度以上は回動する。）、箱体の上部に被収容物を取り出す開口が形成されていても、箱体の内部に存する被収容物を取り出しやすい回動位置まで容易に箱体を回動させることができる。
なお、本発明にいう「上」と「下」とはそれぞれ、本箱を水平面に載置したときの上と下とをいう。
【００１１】
前記所定の回動軸は、前記箱体の重心よりも、前記貫通部分の前記一端から前記他端に向けて前記フォークが嵌入される方向に関し後方に存するものであってもよい。
こうすることで前方に本箱を支持したフォークリフトに対して、本箱の上部が前方に向いて倒れるように本箱を回動させることができるので、箱体内部の被収容物をフォークリフトが邪魔にならない前方側に取り出すことができる。
なお、ここにいう「前方」及び「後方」とは、フォークが嵌入される方向のうちフォークの先端が向いている方（即ち、貫通部分の前記一端から前記他端に向かう方）を前方といい、フォークが嵌入される方向のうちフォークの先端が向いている方とは反対の方（即ち、貫通部分の前記他端から前記一端に向かう方）を後方という。
【００１２】
前記貫通部分の前記一端から前記他端に向けて前記フォークが嵌入される方向とは逆方向へ前記貫通部分に対して前記フォークが一定距離以上変位することを制限する抜け止め手段を、さらに備えてなるものであってもよい。
こうすることで貫通部分に対してフォークが抜ける方向（貫通部分の前記一端から前記他端に向けて前記フォークが嵌入される方向とは逆方向）にフォークが一定距離以上変位することを抜け止め手段が制限するので、貫通部分からフォークが不意に抜け落ちることを防止することができる。
なお、「貫通部分に対してフォークが一定距離以上変位することを制限する」とは、貫通部分に対してフォークが抜ける方向（貫通部分の前記一端から前記他端に向けて前記フォークが嵌入される方向とは逆方向）へのフォークの変位を、貫通部分からフォークが抜け落ちない程度の変位に制限することをいう。
【００１３】
【発明の実施の形態】
以下、本発明の実施の形態を図面を参照して説明する。しかしながら、これらによって本発明は何ら制限されるものではない。
【００１４】
図１は一実施形態の本発明の箱（本箱）１１を示す正面図であり、図２は本箱１１を示す左側面図（図１中、矢印Ａ方向から見たところを示している。）であり、図３は本箱１１を示す底面図（図１中の矢印Ｂ方向及び図２中の矢印Ｃ方向から見たところを示している。）である。図１乃至図３を参照して、本箱１１について説明する。
本箱１１は、略直方体形状をした有底無蓋の鋼製の箱体１３と、箱体１３の底面１３ａが形成する略長方形の２辺１３ａ１、１３ａ２に略平行な方向（図２及び図３中、矢印Ｄにより示す。）にフォークリフトのフォーク（図示せず。ここではフォークは２本存する。）の一方側が一端３１ａから他端３１ｂに向けて貫通する第１の貫通部分３１と、箱体１３の底面１３ａが形成する略長方形の２辺１３ａ１、１３ａ２に略平行な方向（図２及び図３中、矢印Ｄにより示す。）にフォークリフトのフォーク（図示せず）の他方側が一端３３ａから他端３３ｂに向けて貫通する第２の貫通部分３３と、第１の貫通部分３１の他端３１ｂ近傍を第１の回動軸の周りに回動自在に支持する、箱体１３（箱体１３の一部である第１の収容部分２１）に設けられた第１の回動手段たる第１蝶番４１と、第２の貫通部分３３の他端３３ｂ近傍を第２の回動軸の周りに回動自在に支持する、箱体１３（箱体１３の一部である第２の収容部分２３）に設けられた第２の回動手段たる第２蝶番４３と、を備えてなる。
【００１５】
鋼製の箱体１３は、略直方体の６面のうち５面が鋼板によって形成された有底無蓋（該６面のうち該５面以外の１面が開放されることで無蓋となっている。なお、この開放された１面が上面を構成している。）の中空の箱体である。そして、箱体１３は、実際には補強のための部材等が取り付けられているが、図示及び理解を容易にするため、箱体１３の詳細についての図示は省略している。
箱体１３は、箱体１３の底面１３ａの四隅に溶接によって取り付けられた脚部１５ａ、１５ｂ、１５ｃ、１５ｄ（箱体１３の底面１３ａに略平行な面に脚部１５ａ、１５ｂ、１５ｃ、１５ｄ全ての下端が当接するようになっている。）を有している。
【００１６】
また、箱体１３は、第１の貫通部分３１を貫通したフォークの前記一方側（図示せず。他端３１ｂから突出した部分）を２辺１３ａ１、１３ａ２に略平行な方向（図２及び図３中、矢印Ｄにより示す。）に嵌脱自在に収容する第１の収容部分２１と、第２の貫通部分３３を貫通したフォークの前記他方側（図示せず。他端３３ｂから突出した部分）を２辺１３ａ１、１３ａ２に略平行な方向（図２及び図３中、矢印Ｄにより示す。）に嵌脱自在に収容する第２の収容部分２３と、を有している。
第１の収容部分２１と第２の収容部分２３とはいずれも、一端２１ａ、２３ａが開放された鋼製の中空の角筒から形成されている。この角筒は、箱体１３の底面１３ａが形成する略長方形の２辺１３ａ１、１３ａ２に略平行な方向（図２及び図３中、矢印Ｄにより示す。）に対する垂直な断面において略長方形の内部空間を有しており、所定のフォークリフトのフォーク（図示せず）が十分な深さ（第１の貫通部分３１を貫通したフォークの前記一方側（図示せず。他端３１ｂから突出した部分）が第１の収容部分２１に収容されることで第１蝶番４１の回動を制限すると共に、第２の貫通部分３３を貫通したフォークの前記他方側（図示せず。他端３３ｂから突出した部分）が第２の収容部分２３に収容されることで第２蝶番４３の回動を制限することができる程度の深さ）まで貫通可能にされている。
なお、箱体１３の重心を重心１３ｇとして示す。
【００１７】
第１の貫通部分３１と第２の貫通部分３３とはいずれも、両端３１ａ、３１ｂ、３３ａ、３３ｂが開放された鋼製の中空の角筒から形成されている。そして、第１の貫通部分３１の他端３１ｂ近傍は、第１の回動手段たる第１蝶番４１によって箱体１３の一部である第１の収容部分２１の一端２１ａ近傍に第１の回動軸の周りに回動自在に支持されている（第１の回動手段たる第１蝶番４１は、第１の収容部分２１に設けられている。）。また、第２の貫通部分３３の他端３３ｂ近傍は、第２の回動手段たる第２蝶番４３によって箱体１３の一部である第２の収容部分２３の一端２３ａ近傍に第２の回動軸の周りに回動自在に支持されている（第２の回動手段たる第２蝶番４３は、第２の収容部分２３に設けられている。）。また、前述のように、第１の貫通部分３１と第１の収容部分２１とは、第１蝶番４１が所定の回動位置（図１乃至図３に示すように第１の貫通部分３１と第１の収容部分２１とが略真っ直ぐな位置関係になるような回動位置）にあるときにフォークの前記一方側が第１の貫通部分３１を貫通すると共に、第１の貫通部分３１を貫通したフォークの前記一方側（他端３１ｂから突出した部分）が第１の収容部分２１に収容されることができるような位置関係に配設されている。同様に、第２の貫通部分３３と第２の収容部分２３とは、第２蝶番４３が所定の回動位置（図１乃至図３に示すように第２の貫通部分３３と第２の収容部分２３とが略真っ直ぐな位置関係になるような回動位置）にあるときにフォークの前記他方側が第２の貫通部分３３を貫通すると共に、第２の貫通部分３３を貫通したフォークの前記他方側（他端３３ｂから突出した部分）が第２の収容部分２３に収容されることができるような位置関係に配設されている。
【００１８】
そして、第１の回動軸と第２の回動軸とは、箱体１３の底面１３ａが形成する略長方形の２辺１３ａ３、１３ａ４に略平行な仮想の直線５１（図３参照）上に存在している（仮想の直線５１を、底面１３ａに属するように平行移動させれば、該平行移動された直線５１は、２辺１３ａ１、１３ａ２に対して略垂直になる。）。
第１の貫通部分３１と第２の貫通部分３３とが形成する前記角筒のいずれも、仮想の直線５１に平行な平面であって一端３１ａ、３３ａと他端３１ｂ、３３ｂとの間に存する平面による断面において略長方形の内部空間を有しており、所定のフォークリフトのフォーク（図示せず）が十分な深さ（第１の貫通部分３１を貫通したフォークの前記一方側（図示せず。他端３１ｂから突出した部分）が第１の収容部分２１に収容されることで第１蝶番４１の回動を制限すると共に、第２の貫通部分３３を貫通したフォークの前記他方側（図示せず。他端３３ｂから突出した部分）が第２の収容部分２３に収容されることで第２蝶番４３の回動を制限することができる程度の深さ）まで貫通可能にされている。
【００１９】
また、第１の貫通部分３１と第２の貫通部分３３とは、一端３１ａ近傍と一端３３ａ近傍とに溶接により取り付けられた鋼製の連結棒３５によって連結されている。なお、底面１３ａに対する第１の貫通部分３１の回動位置と、底面１３ａに対する第２の貫通部分３３の回動位置と、は略同じになるように、連結棒３５によって連結されている。
そして、連結棒３５のほぼ中央には、抜け止め手段たる抜け止めワイヤ３７の一端が取り付けられている。抜け止めワイヤ３７の他端には、フォークリフトに形成された係合棒（図示せず）に外嵌されて固定される環状部分３７ａが形成されている。
【００２０】
次に、本箱１１の使用方法について説明する。
図４は、本箱１１の使用方法の第１ステップを示す左側面図（本箱１１を図２と同様の位置から見たもの）である。図４を参照して、本箱１１の使用方法の第１ステップについて説明する。略水平な地面１０１上に本箱１１が載置されている。このとき前述したように、脚部１５ａ、１５ｂ、１５ｃ、１５ｄ全ての下端が地面１０１に当接しており、地面１０１上に本箱１１が安定して載置されている。また、このとき、図示していない被収容物（ここでは具体的には金属の切りくず等を含むスクラップ）が箱体１３の内部に収容されている。一方、昇降自在な一対のフォーク２０３を有するフォークリフト２０１が用意されている。上述したように、この一対のフォーク２０３の一方側が第１の貫通部分３１を貫通しさらに第１の収容部分２１に収容されると共に、一対のフォーク２０３の他方側が第２の貫通部分３３を貫通しさらに第２の収容部分２３に収容されるようになっている。
【００２１】
図５は、本箱１１の使用方法の第２ステップを示す左側面図（図４と同様の位置から見たもの）である。図５を参照して、本箱１１の使用方法の第２ステップについて説明する。
図４の状態からフォークリフト２０１を本箱１１方向に移動させ、一対のフォーク２０３の一方側が第１の貫通部分３１を貫通しさらに第１の収容部分２１に収容されると共に、一対のフォーク２０３の他方側が第２の貫通部分３３を貫通しさらに第２の収容部分２３に収容されるようにする。そして、抜け止めワイヤ３７の前記他端に形成された環状部分３７ａを、フォークリフトに形成された係合棒（図示せず）に外嵌させることで固定する。この状態を示したのが図５である。
【００２２】
図６は、本箱１１の使用方法の第３ステップを示す左側面図（図４と同様の位置から見たもの）である。図６を参照して、本箱１１の使用方法の第３ステップについて説明する。
図５の状態からフォークリフト２０１を操作して一対のフォーク２０３を上昇させる。このときは図５に示したように、一対のフォーク２０３の一方側が第１の貫通部分３１を貫通しさらに第１の収容部分２１に収容されると共に、一対のフォーク２０３の他方側が第２の貫通部分３３を貫通しさらに第２の収容部分２３に収容されているので、第１蝶番４１の回動を禁止（制限）すると共に第２蝶番４３の回動を禁止（制限）しており、安定した状態で本箱１１を上昇させることができる。そして、箱体１３の内部に収容されている図示しない被収容物（スクラップ）を収集する収集場所３０１の位置まで、フォークリフト２０１を操作して本箱１１を移動させる。この収集場所３０１は、その周囲を囲むように壁３０３が形成されている。次いで、図６に示すように、脚部１５ｃ、１５ｄを壁３０３の内面に当接させるように本箱１１を配置する（このとき本箱１１の重量の一部は、第１の収容部分２１と第２の収容部分２３とが壁３０３の上面に当接することによって壁３０３によって支えられている。）。
【００２３】
図７は、本箱１１の使用方法の第４ステップを示す左側面図（図６と同様の位置から見たもの）である。図７を参照して、本箱１１の使用方法の第４ステップについて説明する。
図６の状態からフォークリフト２０１を操作して（本箱１１から遠ざかるように移動させる。）、図７に示すように一対のフォーク２０３を第１の収容部分２１と第２の収容部分２３とから抜き取る。なお、このとき一対のフォーク２０３が貫通部分３１と第２の貫通部分３３とから抜け落ちないようにする必要があるが、この抜け落ちを抜け止めワイヤ３７が有効に防止する。即ち、抜け止め手段たる抜け止めワイヤ３７は、貫通部分（第１の貫通部分３１、第２の貫通部分３３）の前記一端３１ａ、３３ａから前記他端３１ｂ、３３ｂに向けてフォーク２０３が嵌入される方向（図７中、矢印Ｆ方向）とは逆方向（図７中、矢印Ｇ方向）へ貫通部分（第１の貫通部分３１、第２の貫通部分３３）に対してフォーク２０３が一定距離以上変位することを制限して、貫通部分（第１の貫通部分３１、第２の貫通部分３３）からフォーク２０３が抜け落ちることを防止している（具体的には、貫通部分（第１の貫通部分３１、第２の貫通部分３３）からフォーク２０３が抜け落ちない程度の長さに抜け止めワイヤ３７はされている。また、ここでは前記他端３１ｂ、３３ｂにフォーク２０３の先端部分が位置したとき、抜け止めワイヤ３７がほぼ張られた状態になり、フォーク２０３が嵌入される方向（図７中、矢印Ｆ方向）とは逆方向（図７中、矢印Ｇ方向）へ貫通部分（第１の貫通部分３１、第２の貫通部分３３）に対してフォーク２０３がそれ以上変位することを禁止する。）。
【００２４】
図８は、本箱１１の使用方法の第５ステップを示す左側面図（図７と同様の位置から見たもの）である。図８を参照して、本箱１１の使用方法の第５ステップについて説明する。
図７の状態からフォークリフト２０１を操作して、一対のフォーク２０３を上昇させる。このときは図７に示したように、一対のフォーク２０３が第１の収容部分２１と第２の収容部分２３とから抜き取られているので、第１蝶番４１と第２蝶番４３とのいずれも自由に回動することができる。ここに第１蝶番４１と第２蝶番４３との両回動軸のいずれも、箱体１３の重心１３ｇよりも貫通部分（第１の貫通部分３１、第２の貫通部分３３）の前記一端３１ａ、３３ａから前記他端３１ｂ、３３ｂに向けてフォーク２０３が嵌入される方向（図７中、矢印Ｆ方向）に関し後方（図７中、距離１３ｆだけ後方）に存する。そして、第１蝶番４１と第２蝶番４３との両回動軸のいずれも、箱体１３の重心１３ｇよりも下方（図７中、上方を矢印Ｋにて、下方を矢印Ｌにて示す。）に存する。従って、図７の状態から一対のフォーク２０３を上昇させると、図８に示すように第１蝶番４１と第２蝶番４３とが回動し、箱体１３が図７及び図８中、反時計回りに回動し箱体１３が傾く。この箱体１３の傾きに伴って、箱体１３内部に収容されていた被収容物（スクラップ）が箱体１３の上部に形成された開口（図示せず）から収集場所３０１の内部へと排出される。
【００２５】
図９は、本箱１１の使用方法の第６ステップを示す左側面図（図８と同様の位置から見たもの）である。図９を参照して、本箱１１の使用方法の第６ステップについて説明する。
図８の状態からフォークリフト２０１を操作して一対のフォーク２０３をさらに上昇させると、脚部１５ｃ、１５ｄの壁３０３の内面への当接が外れ、最終的には図９に示すように箱体１３がほぼ完全に反転されることで箱体１３内部に収容されていた被収容物（スクラップ）が前記開口（図示せず）から収集場所３０１の内部へとほぼ完全に排出される。
【００２６】
図１０乃至図１２は、本箱１１の使用方法の第７ステップを示す左側面図（図９と同様の位置から見たもの）である。図１０を参照して、本箱１１の使用方法の第７ステップについて説明する。この第７ステップは、本箱１１の箱体１３を図４に示したように地面１０１に載置し、再び前記開口（図示せず）から被収容物（スクラップ）を受け入れて収容することができるようにするものである。
まず、図１０に示すように、箱体１３内部に収容されていた被収容物（スクラップ）の排出が終了した図９に示した箱体１３を、フォークリフト２０１を操作して地面１０１に当接させる。
次いで、図１０の状態からフォークリフト２０１を、図１０中の矢印Ｍ方向に移動させる。すると、箱体１３と地面１０１との摩擦力によって、箱体１３は、第１蝶番４１と第２蝶番４３とを中心に図１０中、時計方向に回動する。この回動に合わせて、一対のフォーク２０３を下降させる。この回動によって、図１１に示すように脚部１５ｃ、１５ｄが地面１０１に当接する。
さらに、図１１の状態からフォークリフト２０１を、図１１中の矢印Ｎ方向にさらに移動させると、脚部１５ｃ、１５ｄと地面１０１との摩擦力によって、箱体１３は、第１蝶番４１と第２蝶番４３とを中心に図１１中、時計方向にさらに回動する。この回動に合わせて、一対のフォーク２０３を下降させる。この回動によって、図１２に示すように脚部１５ａ、１５ｂ、１５ｃ、１５ｄ全ての下端が地面１０１に当接する状態になる。
【００２７】
図１２の後、抜け止めワイヤ３７の前記他端に形成された環状部分３７ａを、フォークリフトに形成された係合棒（図示せず）から取り外す。そして、フォークリフト２０１を図１２中の矢印Ｒ方向にさらに移動させ、一対のフォーク２０３を第１の貫通部分３１と第２の貫通部分３３とから抜き取り、再び図４に示した状態になる。
なお、上述したように、図１０から図１２のように箱体１３を回動させる際には、第１の貫通部分３１と第２の貫通部分３３とに一対のフォーク２０３を抜く方向に力が加わるが、ここでもやはり抜け止め手段たる抜け止めワイヤ３７が、貫通部分（第１の貫通部分３１、第２の貫通部分３３）の前記一端３１ａ、３３ａから前記他端３１ｂ、３３ｂに向けてフォーク２０３が嵌入される方向（図１０及び図１１中、矢印Ｆ方向）とは逆方向（図１０及び図１１中、矢印Ｇ方向）へ貫通部分（第１の貫通部分３１、第２の貫通部分３３）に対してフォーク２０３が一定距離以上変位することを制限して、貫通部分（第１の貫通部分３１、第２の貫通部分３３）からフォーク２０３が抜け落ちることを防止している。
【００２８】
以上のように本箱１１は、箱体１３と、フォークリフト２０１のフォーク２０３が一端３１ａ、３３ａから他端３１ｂ、３３ｂに向けて貫入する貫通部分（第１の貫通部分３１、第２の貫通部分３３）と、該貫通部分（第１の貫通部分３１、第２の貫通部分３３）の他端３１ｂ、３３ｂ近傍を所定の回動軸（ここでは仮想の直線５１上に存する第１の回動軸と第２の回動軸）の周りに回動自在に支持する箱体１３に設けられた回動手段（第１の回動手段たる第１蝶番４１、第２の回動手段たる第２蝶番４３）と、を備えてなり、そして、フォーク２０３の先端側が貫通部分（第１の貫通部分３１、第２の貫通部分３３）の該他端３１ｂ、３３ｂから突出することで、貫通部分（第１の貫通部分３１、第２の貫通部分３３）から突出したフォーク２０３と箱体１３（ここでは箱体１３の一部である第１の収容部分２１及び第２の収容部分２３の内面）とが当接して回動手段（第１の回動手段たる第１蝶番４１、第２の回動手段たる第２蝶番４３）の回動を制限する、箱である。
【００２９】
そして、本箱１１においては、箱体１３が、貫通部分（第１の貫通部分３１、第２の貫通部分３３）を貫通したフォーク２０３を嵌脱自在に収容する収容部分（第１の収容部分２１、第２の収容部分２３）を有し、回動手段（第１の回動手段たる第１蝶番４１、第２の回動手段たる第２蝶番４３）が、貫通部分（第１の貫通部分３１、第２の貫通部分３３）に対して収容部分（第１の収容部分２１、第２の収容部分２３）を前記所定の回動軸（仮想の直線５１上に存する第１の回動軸と第２の回動軸）の周りに回動自在に支持する（回動手段（第１の回動手段たる第１蝶番４１、第２の回動手段たる第２蝶番４３）が、収容部分（第１の収容部分２１、第２の収容部分２３）に設けられている。）。さらに、前記所定の回動軸（仮想の直線５１上に存する第１の回動軸と第２の回動軸）は、鉛直方向に対して所定の角度（ここでは約９０度）を有する。
また、前記所定の回動軸（仮想の直線５１上に存する第１の回動軸と第２の回動軸）は、本箱１１を水平面に載置したとき、箱体１３の重心１３ｇよりも下方に存する。
そして、前記所定の回動軸（仮想の直線５１上に存する第１の回動軸と第２の回動軸）は、箱体１３の重心１３ｇよりも、貫通部分（第１の貫通部分３１、第２の貫通部分３３）の前記一端３１ａ、３３ａから他端３１ｂ、３３ｂに向けてフォーク２０３が嵌入される方向（図７中、矢印Ｆ方向）に関し後方に存する。
【００３０】
加えて、本箱１１は、貫通部分（第１の貫通部分３１、第２の貫通部分３３）の前記一端３１ａ、３３ａから他端３１ｂ、３３ｂに向けてフォーク２０３が嵌入される方向（図７中、矢印Ｆ方向）とは逆方向（図７中、矢印Ｇ方向）へ貫通部分（第１の貫通部分３１、第２の貫通部分３３）に対してフォーク２０３が一定距離以上変位することを制限する抜け止め手段たる抜け止めワイヤ３７を、さらに備えている。
【図面の簡単な説明】
【図１】一実施形態の本発明の箱（本箱）を示す正面図である。
【図２】本箱を示す左側面図である。
【図３】本箱を示す底面図である。
【図４】本箱の使用方法の第１ステップを示す左側面図である。
【図５】本箱の使用方法の第２ステップを示す左側面図である。
【図６】本箱の使用方法の第３ステップを示す左側面図である。
【図７】本箱の使用方法の第４ステップを示す左側面図である。
【図８】本箱の使用方法の第５ステップを示す左側面図である。
【図９】本箱の使用方法の第６ステップを示す左側面図である。
【図１０】本箱の使用方法の第７ステップを示す左側面図である。
【図１１】本箱の使用方法の第７ステップを示す左側面図である。
【図１２】本箱の使用方法の第７ステップを示す左側面図である。
【符号の説明】
１１　　　　　　本発明の箱（本箱）
１３　　　　　　箱体
１３ａ　　　　　底面
１３ｆ　　　　　距離
１３ｇ　　　　　重心
１３ａ１、１３ａ２、１３ａ３、１３ａ４　辺
１５ａ、１５ｂ、１５ｃ、１５ｄ　脚部
２１　　　　　　第１の収容部分
２３　　　　　　第２の収容部分
２１ａ、２３ａ　一端
３１　　　　　　第１の貫通部分
３１ａ　　　　　一端
３１ｂ　　　　　他端
３３　　　　　　第２の貫通部分
３３ａ　　　　　一端
３３ｂ　　　　　他端
３５　　　　　　連結棒
３７　　　　　　抜け止めワイヤ
３７ａ　　　　　環状部分
４１　　　　　　第１蝶番
４３　　　　　　第２蝶番
５１　　　　　　仮想の直線
１０１　　　　　　地面
２０１　　　　　　フォークリフト
２０３　　　　　　フォーク
３０１　　　　　　収集場所
３０３　　　　　　壁
【図１】
2004075120.tif 000003
【図２】
2004075120.tif 000004
【図３】
2004075120.tif 000005
【図４】
2004075120.tif 000006
【図５】
2004075120.tif 000007
【図６】
2004075120.tif 000008
【図７】
2004075120.tif 000009
【図８】
2004075120.tif 000010
【図９】
2004075120.tif 000011
【図１０】
2004075120.tif 000012
【図１１】
2004075120.tif 000013
【図１２】
2004075120.tif 000014